(57)【要約】【課題】被掲示物の掲示板への掲示および掲示板からの取り外しを容易に行うことができ、さらに、少ない押え幅で掲示板からの被掲示物の不意の抜けを効率良く防止することができ、衛生的で簡易な構成の建設現場用掲示板の提供。【解決手段】建設現場用掲示板１は、四角形のシート状の許可票２が掲示される掲示板本体３と、掲示板本体３に設けられて許可票２の左右両端部を掲示板本体３に支持する左右一対の支持部材４，４とを備える。各支持部材４は、開口８を有する四角形の扁平な袋状に形成されている。左右一対の支持部材４，４は、開口８が互いに向き合って左右に離隔して掲示板本体３に設けられる。そして、左側の支持部材４内に許可票２の左端部が挿入されると共に、右側の支持部材４内に許可票２の右端部が挿入されて、許可票２の左右両端部が掲示板本体３に支持され、許可票２が掲示板１に掲示される。【選択図】図１
2018017846.tif 000002
【特許請求の範囲】
【請求項１】
被掲示物が掲示される掲示板本体と、
前記掲示板本体に設けられ、前記被掲示物の左右両端部を前記掲示板本体に支持する一対の支持部材とを備え、
前記一対の支持部材は、それぞれが開口を有する扁平な袋状に形成されており、前記開口が互いに向き合って左右に離隔して前記掲示板本体に設けられ、
一方の支持部材内に前記被掲示物の左端部が挿入されると共に、他方の支持部材内に前記被掲示物の右端部が挿入されて、前記被掲示物の左右両端部が前記掲示板本体に支持される
ことを特徴とする建設現場用掲示板。
【請求項２】
前記被掲示物は、合成樹脂製のフィルムでラミネート加工された紙である
ことを特徴とする請求項１に記載の建設現場用掲示板。
【請求項３】
前記被掲示物は、正面視四角形状に形成されており、
前記一対の支持部材は、それぞれが一辺に前記開口が形成された四角形の袋状とされており、それぞれが前記開口からの深さが前記被掲示物の左右長さの２割〜３割とされている
ことを特徴とする請求項１または請求項２に記載の建設現場用掲示板。
【請求項４】
前記一対の支持部材は、前記掲示板本体に取替可能に設けられている
ことを特徴とする請求項１〜３のいずれか１項に記載の建設現場用掲示板。
【発明の詳細な説明】
【技術分野】
【０００１】
本発明は、建設現場において建設業の許可票などの被掲示物を掲示する建設現場用掲示板に関するものである。建設業の許可票は、建設業法において、掲示義務が定められている。それに従って、たとえば住宅の建設現場で許可票を掲示する場合、工事を行う全業者が２０〜３０社程度とされるので、その業者の数だけ許可票の掲示が必要となる。間口の広い工事現場においては全数掲示するスペースを確保できるが、全数掲示するスペースを確保できない工事現場においては、工事の進捗状況に応じて許可票を貼り替える必要が生じる。
【背景技術】
【０００２】
下記特許文献１には、工事現場などに設置されるシート製安全掲示板が開示されている。このシート製安全掲示板は、その表面に表示事項を表示したカードが挿入可能なポケットが形成されている。ポケットが形成されていることで、カードを挿入して簡単に文字や絵を表示したり、カードを交換したりすることができる。
【先行技術文献】
【特許文献】
【０００３】
【特許文献１】実用新案登録第３１５６７２９号公報
【発明の概要】
【発明が解決しようとする課題】
【０００４】
しかしながら、従来の場合、被掲示物であるカードを掲示板に支持するポケットは、内部にカードを収容するものであるので、カードよりも若干大きく形成されており、ポケットを構成する部材にかかるコストが高くなってしまう。特に、カードのサイズが大きい場合には、大型のポケットが必要となり、コストが合わない。また、従来の掲示板は、工事現場などの屋外に設置されるので、ポケットが上方へ開口している場合、ポケット内にその開口から雨が入り、ポケット内に雨水が溜まってしまう。これにより、ポケットやそれに挿入されたカードが雨水で汚れたり、雨水が原因でポケットやカードにカビが繁殖したりするおそれがある。
【０００５】
本発明は、このような問題に鑑みてなされたものであり、その主たる目的は、被掲示物の掲示板への掲示および被掲示物の掲示板からの取り外しを容易に行うことができ、さらに、少ない押え幅で掲示板からの被掲示物の不意の抜けを効率良く防止することができ、衛生的で簡易な構成の建設現場用掲示板を提供することにある。
【課題を解決するための手段】
【０００６】
上記目的を達成するための本発明に係る建設現場用掲示板は、被掲示物が掲示される掲示板本体と、前記掲示板本体に設けられ、前記被掲示物の左右両端部を前記掲示板本体に支持する一対の支持部材とを備え、前記一対の支持部材は、それぞれが開口を有する扁平な袋状に形成されており、前記開口が互いに向き合って左右に離隔して前記掲示板本体に設けられ、一方の支持部材内に前記被掲示物の左端部が挿入されると共に、他方の支持部材内に前記被掲示物の右端部が挿入されて、前記被掲示物の左右両端部が前記掲示板本体に支持されることを特徴とする。
【０００７】
また、本発明に係る建設現場用掲示板は、前記被掲示物は、合成樹脂製のフィルムでラミネート加工された紙であることを特徴とする。
【０００８】
また、本発明に係る建設現場用掲示板は、前記被掲示物は、正面視四角形状に形成されており、前記一対の支持部材は、それぞれが一辺に前記開口が形成された四角形の袋状とされており、それぞれが前記開口からの深さが前記被掲示物の左右長さの２割〜３割とされていることを特徴とする。
【０００９】
さらに、本発明に係る建設現場用掲示板は、前記一対の支持部材は、前記掲示板本体に取替可能に設けられていることを特徴とする。
【発明の効果】
【００１０】
本発明に係る建設現場用掲示板によれば、一方の支持部材内に被掲示物の左端部が挿入されると共に、他方の支持部材内に被掲示物の右端部が挿入されることで、被掲示物の左右両端部が掲示板本体に支持される。従って、被掲示物を掲示板に簡単に掲示することができ、かつ、被掲示物を掲示板から簡単に取り外すことができる。また、被掲示物の両端部が支持部材により掲示板本体に支持される構成であるので、支持部材を小さくして、被掲示物の掲示板への押え幅を小さくすることができ、支持部材にかかるコストを低減することができる。また、その押え幅で、被掲示物が掲示板から不意に抜け落ちるのを効率良く防止することができる。さらに、被掲示物を支持する一対の支持部材は、開口が互いに向き合って左右に離隔して掲示板本体に設けられるので、上方へ開口したポケットの場合と比較して、それぞれの内部に雨が入るのを抑制することができる。
【００１１】
また、本発明に係る建設現場用掲示板によれば、被掲示物がラミネート加工された紙であるので、加工前と比較して、被掲示物が折り曲げ難くなっている。従って、建設現場用掲示板から被掲示物を取り外すには、被掲示物を折り曲げて各支持部材から被掲示物の両端部をそれぞれ抜き取るので、被掲示物が折り曲げ難くなっていることで、建設現場用掲示板から被掲示物がより抜け難くなっている。また、被掲示物がラミネート加工された紙であるので、耐久性および防水性に優れており、繰り返し使用することができる。
【００１２】
また、本発明に係る建設現場用掲示板によれば、各支持部材の開口からの深さが被掲示物の左右長さの２割〜３割とされているので、一対の支持部材に対して被掲示物がより抜き差しし易く、かつ、一対の支持部材から被掲示物が不意に抜け落ちるのをより確実に防止することができる。
【００１３】
さらに、本発明に係る建設現場用掲示板によれば、一対の支持部材のそれぞれまたは両方が、損傷したり、風雨により汚れたりした場合に、新しいものに取り替えることができる。
【図面の簡単な説明】
【００１４】
【図１】本発明の建設現場用掲示板の一実施例の使用状態を示す概略斜視図である。
【図２】図１のＩ-Ｉ断面図である。
【図３】図１におけるＡ部拡大正面図である。
【図４】図１の建設現場用掲示板の支持部材を示す概略横断面図である。
【図５】図１の建設現場用掲示板に被掲示物を掲示する状態を示す概略横断面図である。
【発明を実施するための形態】
【００１５】
以下、本発明の具体的実施例を図面に基づいて詳細に説明する。
【００１６】
図１から図３は、本発明の建設現場用掲示板の一実施例を示す図であり、図１は使用状態を示す概略斜視図、図２は図１のＩ-Ｉ断面図、図３は図１におけるＡ部拡大正面図である。なお、図２は、一部を省略して示している。本実施例の建設現場用掲示板１は、建設現場に設置される掲示板であり、被掲示物２が掲示される掲示板本体３と、この掲示板本体３に設けられて被掲示物２の左右両端部を掲示板本体３に支持する左右一対の支持部材４，４とを備える。
【００１７】
被掲示物２は、建設現場で掲示されるものであればよく、たとえば、建設業の許可票とされる。建設業の許可票２は、合成樹脂製のフィルムでラミネート加工された紙であり、たとえば、表面に業者名や許可番号などの所定の事項が記載された四角形状の紙の両面が四角形状のポリエチレンテレフタレートのフィルムでラミネート加工されたものである。このような構成の許可票２は、外形がＡ３サイズで正面視四角形状のシート状に形成されており、長手方向が左右方向へ沿うようにして配置される。なお、許可票２のサイズは、法定で縦２５ｃｍ以上×横３５ｃｍ以上と定められており、Ａ３サイズに限定されるものではなく、たとえばＢ４サイズでもよい。
【００１８】
掲示板本体３は、正面視長方形の板状に形成されており、長手方向が上下方向へ沿うようにして配置される。図１に示されるように、掲示板本体３は、矩形枠状の支持体５内に設けられる。支持体５は、左右方向へ離隔して配置される縦枠６，６と、上下方向へ離隔して配置される横枠７，７とを備える。左側に配置される縦枠６は、横断面が右方へ開口したコ字形状の棒材から形成されており、上下方向へ延出して配置される。一方、右側に配置される縦枠６は、左側に配置される縦枠６と左右対称の部材とされる。上側に配置される横枠７は、縦断面が下方へ開口したコ字形状の棒材から形成されており、左右方向へ延出して配置される。一方、下側に配置される横枠７は、上側に配置される横枠７と上下対称の部材とされる。
【００１９】
支持体５内には、掲示板本体３の左右両端部がそれぞれ左側の縦枠６と右側の縦枠６とに差し込まれると共に、掲示板本体３の上下両端部がそれぞれ上側の横枠７と下側の横枠７とに差し込まれて、掲示板本体３が支持される。この際、左右の縦枠６，６の上端部同士が上側の横枠７により接続されると共に、左右の縦枠６，６の下端部同士が下側の横枠７により接続される。なお、本実施例では、掲示板本体３は、プラスチックダンボールにより形成されているが、これに限定されるものではない。また、掲示板本体３は、縦が約１２００ｍｍ、横が約１０００ｍｍとされているが、これに限定されるものではない。
【００２０】
左右一対の支持部材４，４はそれぞれ、開口８を有する扁平な袋状に形成されている。本実施例では、各支持部材４は、表材９と、この表材９の裏側に設けられる裏材１０とを備えて構成される。左側に配置される支持部材４は、長方形の透明なシート状の表材９と長方形のシート状の裏材１０とが重ね合されて、表材９および裏材１０の短辺である上辺同士、表材９および裏材１０の長辺である左辺同士、および表材９および裏材１０の短辺である下辺同士を熱溶着して形成される。これにより、左側に配置される支持部材４は、四角形の袋状とされ、長辺である右辺に開口８が形成されている。一方、右側に配置される支持部材４は、左側に配置される支持部材４と左右対称の部材とされる。
【００２１】
各支持部材４の開口８からの深さａは、許可票２の長辺間である左右長さｂの２割から３割とされている。また、各支持部材４の長辺間である上下の内寸法ｃは、許可票２の短辺間である上下長さｄよりも約２％大きく形成されている。
【００２２】
図４は、本実施例の建設現場用掲示板の支持部材を示す概略横断面図であり、左側に配置される支持部材を示している。この図に示されるように、左側に配置される支持部材４の裏材１０は、基体１１と、この基体１１に積層される粘着層１２と、この粘着層１２に剥離可能に設けられる剥離紙１３とを有する。基体１１は、長方形のシート状に形成されており、その裏面全域に粘着層１２が積層されている。粘着層１２の裏面全域には、剥離紙１３が剥離可能に貼り付けられている。一方、右側に配置される支持部材４の裏材１０は、左側に配置される支持部材４の裏材１０と同様の構成であるので、説明を省略する。
【００２３】
このような構成の左右一対の支持部材４，４は、掲示板本体３に設けられる。図１から図３に示されるように、各支持部材４は、剥離紙１３が剥がされ、粘着層１２により掲示板本体３の表面に、長手方向が上下方向へ沿うよう貼り付けられる。この際、左右一対の支持部材４，４は、開口８が互いに向き合って左右に離隔して、掲示板本体３に貼り付けられる。図示例では、左右一対の支持部材４，４は、掲示板本体３の左側および右側にそれぞれ、上下に並んで３箇所に設けられる。
【００２４】
粘着層１２と掲示板本体３との剥離抵抗は、粘着層１２と基体１１との剥離抵抗よりも小さい。これにより、粘着層１２は、掲示板本体３から支持部材４を剥がした際に、掲示板本体３側に残らず、基体１１に積層された状態が維持される。このように、各支持部材４は、掲示板本体３に取り外し可能に設けられる。
【００２５】
次に、本実施例の建設現場用掲示板１の使用について説明する。図５は、本実施例の建設現場用掲示板に許可票を掲示する状態を示す概略横断面図であり、一部を省略して示している。
【００２６】
この図に示されるように、許可票２は、たとえば、左端部が左右一対の左側の支持部材４内に挿入された状態で、前方へ膨出するように折り曲げられて、右端部が左右一対の右側の支持部材４内に挿入される。そして、許可票２は、左端部が左側の支持部材４内に挿入されると共に、右端部が右側の支持部材４内に挿入されて、左右両端部が掲示板本体３に支持される。これにより、許可票２は、長手方向が左右方向へ沿うようにして建設現場用掲示板１に掲示される。一方、許可票２を支持部材４から抜く際には、許可票２を前方へ膨出するよう折り曲げて、許可票２の左右両端部をそれぞれ各支持部材４から抜き取ればよい。このようにして、許可票２は、建設現場用掲示板１に着脱可能に設けられる。
【００２７】
本実施例では、左右一対の支持部材４，４に複数（図示例では６枚）の許可票２が前後に重ね合されて挿入される。この際、最も手前側は、現在工事を行っている業者の許可票２ａが配置される。最も手前側に配置される許可票２ａを除いたその他の許可票２ｂは、現在工事を行っていない業者のものとされる。
【００２８】
実際の建設現場では、日にちや時間によって工事を行う業者が入れ替わり、建設工事が進められる。たとえば、住宅を建設する場合には、基礎の施工を行う業者、構造躯体の施工を行う業者、外装の施工を行う業者、屋根の施工を行う業者、内装の施工を行う業者、電気配線の施工を行う業者などが入れ替わって、工事が進められる。この際、前述したように複数の業者の許可票２を重ね合わせて掲示板１に支持しておき、現在行われている工事にあわせて、許可票２が入れ替えられる。すなわち、現在行われている工事が終了し、次の工事が行われる際に、次の工事を行う業者の許可票２が最も手前側に持ってこられる。なお、狭小地などで掲示板１の掲示スペースが限られている場合には、最も手前側に上位の業者の許可票２が配置され、その裏側に下位の業者の許可票２を重ね合わすことができる。
【００２９】
本実施例の建設現場用掲示板１の場合、許可票２の左右両端部がそれぞれ支持部材４内に挿入されて掲示板本体３に支持される構成であるので、許可票２の一対の支持部材４，４、に対する着脱を容易に行うことができ、これにより、許可票２を掲示板１に容易に掲示することができ、かつ、許可票２を掲示板１から容易に取り外すことができる。また、一対の支持部材４，４それぞれの左右長さを小さくして、コストを低減することができ、その小さくした一対の支持部材４，４で、許可票２が掲示板１から不意に抜け落ちることを防止することができる。また、本実施例の建設現場用掲示板１の場合、前述したように許可票２が掲示板本体３に支持されるので、支持部材４が許可票２を収容するポケットの場合と比較して、支持部材４を小さくして、支持部材４にかかるコストを低減することができる。また、本実施例の建設現場用掲示板１の場合、前述したように許可票２が掲示板本体３に支持されるので、現場に入る時に掲示し、工事が終了すればすぐに取り外すことができるので、効率良く掲示することができる。
【００３０】
また、本実施例の建設現場用掲示板１の場合、左側の支持部材４が右方へ開口する一方、右側の支持部材４が左方へ開口するので、支持部材４が上方へ開口したポケットの場合と比較して、各支持部材４内に雨が入るのを抑制することができ、支持部材４内に雨が溜まるのを抑制することができる。これにより、雨水による支持部材４の汚れや劣化を抑制することができ、また、溜まった雨水により支持部材４にカビが発生することを抑制することができる。また、本実施例の建設現場用掲示板１の場合、許可票２がラミネート加工されているので、ラミネート加工していない場合と比較して、許可票２を折り曲げ難く形成することができる。これにより、許可票２が支持部材４からより抜け難くなっており、許可票２が不意に抜け落ちるのをより確実に防止することができる。
【００３１】
また、本実施例の建設現場用掲示板１の場合、一対の支持部材４，４のそれぞれにおいて、開口８からの深さａが許可票２の左右長さｂの２割〜３割とされていると共に、各支持部材４の上下の内寸法ｃが許可票２の上下長さｄよりも約２％大きく形成されている。従って、許可票２が各支持部材４に対してより抜き差しし易く、かつ、許可票２が各支持部材４から不意に抜け落ちるのをより確実に防止することができる。また、本実施例の建設現場用掲示板１の場合、支持部材４が掲示板本体３から取外可能とされているので、支持部材４が温度により変形したり、支持部材４が風雨や土埃により汚れたり、また、外力により変形したり破れたりした際に、新しい支持部材４に取り替えることができる。このように支持部材４が掲示板本体３に取替可能に設けられているので、掲示板本体３はそのままで、劣化しやすい支持部材４を交換することができ、低コストで美観を損なわないようにすることができる。
【００３２】
また、本実施例の建設現場用掲示板１の場合、許可票２を入れ替えて、最も手前側に現在行われている工事の業者の許可票２を配置することができる。このような掲示方法を行うことができるので、工事の度に許可票２を持参する必要がなく、業者にとって使い勝手のよい掲示板とすることができる。また、本実施例の建設現場用掲示板１の場合、掲示板本体３のサイズが、建築確認および労災保険成立票などの従来の法令標識と同様であるので、従来の法令標識の矩形枠状の支持体を用いることができ、支持体５を従来のものと共通化することができる。また、本実施例の建設現場用掲示板１の場合、複数箇所に許可票２を掲示することができるので、複数の業者が同時に工事を行う際に対応することができる。また、本実施例の建設現場用掲示板１の場合、許可票２が着脱可能とされているので、複数の現場で使い回すことができ、これにより、掲示板にかかるコストの低減を図ることができる。さらに、廃棄物を減らすことができ、環境への配慮がなされた掲示板とすることができる。
【００３３】
本発明は、前記実施例の構成に限らず、適宜変更可能である。たとえば、前記実施例では、許可票２を同時に６箇所に掲示できる構成とされたが、これに限定されるものではなく、６箇所以下であってもよいし、６箇所以上であってもよい。また、前記実施例では、支持部材４に許可票２が複数挿入されたが、これに限定されるものではなく、１枚の許可票２が支持部材４に挿入されていてもよい。さらに、掲示板本体３に各支持部材４の取付位置を示す印を設けてもよい。この場合、支持部材４を交換する際に、元の適正な位置に新しい支持部材４を容易に貼り付けることができる。
【産業上の利用可能性】
【００３４】
本発明は、住宅などの建設現場に設置される建設現場用掲示板に好適に適用される。
【符号の説明】
【００３５】
１  建設現場用掲示板
２  許可票（被掲示物）
３  掲示板本体
４  支持部材
８  開口
【図１】
2018017846.tif 000003
【図２】
2018017846.tif 000004
【図３】
2018017846.tif 000005
【図４】
2018017846.tif 000006
【図５】
2018017846.tif 000007
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
被掲示物が掲示される掲示板本体と、
前記掲示板本体に設けられ、前記被掲示物の左右両端部を前記掲示板本体に支持する一対の支持部材とを備え、
前記一対の支持部材は、それぞれが表材と裏材とを熱溶着して開口を有する扁平な袋状に形成されており、前記裏材が有する粘着層により前記開口が互いに向き合って左右に離隔して前記掲示板本体に取替可能に設けられ、
複数の前記被掲示物が前後に重ね合わされた状態で、一方の支持部材内にそれぞれの前記被掲示物の左端部が挿入されると共に、他方の支持部材内にそれぞれの前記被掲示物の右端部が挿入されて、複数の前記被掲示物の左右両端部が前記掲示板本体に支持される
ことを特徴とする建設現場用掲示板。
【請求項２】
前記被掲示物は、正面視四角形状に形成されており、
前記一対の支持部材は、それぞれが一辺に前記開口が形成された四角形の袋状とされており、それぞれが前記開口からの深さが前記被掲示物の左右長さの２割〜３割とされている
ことを特徴とする請求項１に記載の建設現場用掲示板。
【手続補正２】
【補正対象書類名】明細書
【補正対象項目名】０００６
【補正方法】変更
【補正の内容】
【０００６】
上記目的を達成するための本発明に係る建設現場用掲示板は、被掲示物が掲示される掲示板本体と、前記掲示板本体に設けられ、前記被掲示物の左右両端部を前記掲示板本体に支持する一対の支持部材とを備え、前記一対の支持部材は、それぞれが表材と裏材とを熱溶着して開口を有する扁平な袋状に形成されており、前記裏材が有する粘着層により前記開口が互いに向き合って左右に離隔して前記掲示板本体に取替可能に設けられ、複数の前記被掲示物が前後に重ね合わされた状態で、一方の支持部材内にそれぞれの前記被掲示物の左端部が挿入されると共に、他方の支持部材内にそれぞれの前記被掲示物の右端部が挿入されて、複数の前記被掲示物の左右両端部が前記掲示板本体に支持されることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】削除
【補正の内容】